(57)【要約】【課題】  抽出穴を飲料者の好みに合せるように、その開口面積を容易に変化させるものであるが、構造的に簡単で且つ生産しやすいコーヒードリッパーを提供すること。【解決手段】  外側の容器２と、この外側の容器２の内側に配される内側の容器８を備える。そして、外側の容器２に外側抽出穴６を形成し、内側の容器８に内側抽出穴１０を形成する。前記内側の容器８を周方向に回転させることで、前記外側抽出穴６と内側抽出穴１０の整合度合を調節する。これにより、コーヒーの抽出速度を変化させる。【選択図】      図２
0003166825.tif 000002
【実用新案登録請求の範囲】
【請求項１】
外側の容器と、この外側の容器の内側に配される内側の容器とを備え、前記外側の容器に外側抽出穴を形成し、前記内側の容器に内側抽出穴を形成し、前記内側の容器を周方向に回転させることで、前記外側抽出穴と前記内側抽出穴の整合を制御し、コーヒーの抽出速度を変化せしめたことを特徴とするコーヒードリッパー。
【請求項２】
前記外側抽出穴は、外側の容器の下方側面又は底面に形成したことを特徴とする請求項１記載のコーヒードリッパー。
【請求項３】
前記内側抽出穴は、内側の容器の下方側面又は底面に形成したことを特徴とする請求項１記載のコーヒードリッパー。
【請求項４】
前記内側の容器を周方向へ回転しやすいように、その内側の容器の外面又は外側の容器の内面に突起を形成したことを特徴とする請求項１記載のコーヒードリッパー。
【請求項５】
前記内側の容器は周方向へ回転位置を定めるために、前記外側の容器の縁部に目盛を設けたことを特徴とする請求項１記載のコーヒードリッパー。
【請求項６】
前記外側の容器は前記内側の容器より縦方向寸法を縮めたことを特徴とする請求項１又は２記載のコーヒードリッパー。
【請求項７】
前記外側の容器の上端開口部の縁に外方へ膨らました注入口を設けたことを特徴とする請求項１又は４記載のコーヒードリッパー。
【考案の詳細な説明】
【技術分野】
【０００１】
この考案は、挽いたコーヒー豆からコーヒーを入れるのに使用されるコーヒードリッパーに関する。
【背景技術】
【０００２】
従来のコーヒードリッパーは、陶器、磁器又は耐熱性プラスチックで全体が構成され、漏斗状での濾紙収納用の容器の底部に１つ又は複数の抽出穴が、また容器の側方には把部がそれぞれ設けられ、更に底部の下部で外側に広がる円形の座体が設けられていた。
【０００３】
このようなコーヒードリッパーの使用にあっては、コーヒーカップに座体を介してコーヒードリッパーを載せ、その後に容器内に濾紙を広げて入れ、その濾紙内に挽いたコーヒー豆を所定量入れ、それから熱湯を注いで容器内に抽出したコーヒー液を抽出穴より流下させ、コーヒーを作っていた。
【０００４】
コーヒードリッパーの容器は、その底部に形成の抽出穴が１つ又は３つ（特許文献１）が主流であり、その開口面積に差があり、好みの濃さに抽出するのに色々なメーカーのコーヒードリッパーを試さなければならなかった。
【０００５】
また、このような従来の欠点を解決するため、出願人は特許文献２に示す考案を開発した。この特許文献２によると、漏斗状の濾紙収納用容器２の底部４に抽出穴６を形成する。この抽出穴６にその開口面積を可変とする抽出穴可変板７を配し、この抽出穴可変板７を移動させる螺子杆１１を設けている。
【先行技術文献】
【特許文献】
【０００６】
【特許文献１】実開平２−５１８３６号公報
【特許文献２】実用新案登録第３１５９８７７号
【考案の概要】
【考案が解決しようとする課題】
【０００７】
前記特許文献２によれば、コーヒー豆の挽き方や、豆の煎り方等から必要に応じて抽出穴可変板７を移動させ、１つ、２つ又は３つの抽出穴を選択し、飲料者の味の好みに対応させているすこぶる興味ある考案ではあるが、構造的に見ると、複雑で、生産性が良くなった。
【０００８】
そこで、この考案は、抽出穴を飲料者の好みに合わせるように、その開口面積を容易に変化させるものであるが、構造的に簡単で且つ生産しやすいコーヒードリッパーを提供する。
【課題を解決するための手段】
【０００９】
この考案に係るコーヒードリッパーは、外側の容器と、この外側の容器の内側に配される内側の容器とを備え、前記外側の容器に外側抽出穴を形成し、前記内側の容器に内側抽出穴を形成し、前記内側の容器を周方向に回転させることで、前記外側抽出穴と前記内側抽出穴の整合を制御し、コーヒーの抽出速度を変化せしめたことを特徴としている（請求項１）。したがって、飲料者は、自分の好みにしたがって、内側の容器を周方向に回転させ、もって、内側と外側の抽出穴の整合度合を変化させ、開口面積を変え、時間当たりの抽出量が変化させる。即ち、好みの濃さのコーヒーを抽出できる。また、抽出穴を一定時間を塞ぎ、その後抽出穴を開けて一挙に抽出することで、コクのあるコーヒー入れることも、内側の容器を周方向に回転する操作で可能としている。
【００１０】
前記外側抽出穴は、外側の容器の下方側面又は底面に形成していることが好ましい（請求項２）。前記内側抽出穴は、内側の容器の下方側面又は底面に形成していることが好ましい（請求項３）。
【００１１】
前記内側容器を周方向へ回転しやすいように、その内側の容器の外面又は外側の容器の内面に突起を形成したことが好ましく（請求項４）、前記外側の容器との接触抵抗を小さくしている。また内側の容器は周方向の回転位置を定めるため、前記外側の容器の縁部に目盛を設けることが好ましい（請求項５）。
【００１２】
前記外側の容器は前記内側の容器よりも縦方向寸法を縮めたことが好ましく（請求項６）、これにより、コーヒードリッパーを小型にする利点を持っている。また、前記外側の容器の上端開口部の縁には、湯の注入口が設けられ（請求項７）、ここから湯を入れて、ドリッパーを温めることができ、抽出時にコーヒーが冷めることを防ぐことができる。コーヒーの抽出前には、排出されている。
【考案の効果】
【００１３】
以上のように、この考案の請求項１によれば、内側の容器を外側の容器に対して周方向に回転させることで、内側抽出穴と外側抽出穴の整合を制御し、もって開口面積を飲料者の好みに合わせて変化させることができ、抽出されるコーヒーの濃さを自由に選択できる。そして、この装置の構成は、内側外側の容器と内側外側の抽出穴によるだけで、簡単な構造であり、生産しやすい利点を備えている。またコーヒードリッパーは、２つの内側と外側の容器に分解できるので、清掃も容易である。
【００１４】
請求項４によれば、内側の容器の外面又は外側の容器の内面に突起を形成した事で、外側の容器との摺動抵抗を減少させ、内側の容器をスムーズに回転させることができる。また、請求項５によれば、外側の容器の縁部に目盛を設けたことから、内側の容器の周方向の回転位置、即ち、抽出穴の開口面積を明らかに推測出来るものである。さらに、請求項６によれば、外側の容器の縦方向寸法を縮めることで、コーヒードリッパーの小型化、軽量化を図ることができる。請求項７によれば、コーヒーの抽出前に外側の容器の上端開口部の縁の注入口より湯を入れてコーヒードリッパーを温めることができる。
【図面の簡単な説明】
【００１５】
【図１】この考案の実施例１を示す斜視図である。
【図２】同上の分解斜視図である。
【図３】実施例１の内側の容器の変形例である。
【図４】実施例１の外側の容器の変形例である。
【図５】この考案の実施例２を示す斜視図である。
【図６】実施例２の外側の容器の変形例である。
【図７】この考案の実施例３の斜視図である。
【考案を実施するための形態】
【００１６】
以下、この考案の実施例を図面に基づいて説明する。
【実施例１】
【００１７】
図１において、この考案のコーヒードリッパー１の使用状態、そして図２において、分解状態が示され、このコーヒードリッパー１は、陶器、磁器又は耐熱性プラスチック等により製造され、２つの容器より成っている。外側に配される外側の容器２は、漏斗状で、上端開口部２ａは円形で、下方にいくに従って窄まって、下端が尖がり、外側に把部３を取付けると共に、中程より下方に外方へ広がる座体４を形成している。この座体４を介して、外側の容器２はコーヒーカップ５の開口縁に載置される。
【００１８】
また、外側の容器２は、下方にあって、その側面に外側抽出穴６が形成されている。この外側抽出穴６は側面から見て菱型となっている。７は外側の容器２の縁部に設けられた目盛である。
【００１９】
内側の容器８は前記外側の容器２の内側に配され、外側の容器２と同じように漏斗状で、上端開口部８ａは円形状で下方にいくに従って窄まって下端が尖がり、最も上端の縁に摘み９を有している。また、内側の容器２は下方にあって、その側面に菱型の内側抽出穴１０が形成されている。この内側抽出穴１０は、前記外側抽出穴６と関係し、両穴１０、６が重なり合う状態により、開口面積制御が行なわれる。即ち、コーヒーの抽出速度が変更される。
【００２０】
上述の構成において、図１のように、前記内側の容器８の内側に濾紙１２が収納され、その内部に挽かれたコーヒーが入れられ、その上から熱湯が注がれ、コーヒーが抽出される。内側抽出穴１０と外側抽出穴６との開口面積状態は、摘み９を持ち、内側の容器８を周方向に回動させることで変化させることが出来る。その際に外側の容器２の縁に設けられた目盛７を目視しながら、行なえば、抽出速度の制御が簡単に行なわれる。
【００２１】
図３において、実施例１の内側の容器８の変形例が示されている。この例では、内側の容器８の外面に多数の突起１３が形成されている。この突起１３は、外側の容器２の内面に当り、当接面積を少なくして、周方向の回転時の摺動抵抗を小さくしている。その他の部分は、前記実施例１の内側の容器８と同一のため、同一の符号を付して説明を省略した。なお、図示しないが、外側の容器２の内面に突起を形成するようにしても、同様の作用効果を得ることができる。
【００２２】
図４において、実施例１の外側の容器２の変形例が示されている。この例では、外側の容器２の縦方向寸法を短かくしたものである。これにより、装置の小型化、軽量化が図れるものである。１４は内側の容器８に設けられた摘みである。
【実施例２】
【００２３】
図５において、この考案の実施例２が示されている。この実施例２では、コーヒードリッパー１は底面側が平端な形状で、外側の容器２の底面１４に２つの菱形の外側抽出穴６ａ、６ｂを形成している。この外側抽出穴６ａ、６ｂも菱型である。また内側の容器８の底面１５に２つの菱型の内側抽出穴１０ａ、１０ｂを形成している。このため、内側の容器８を周方向に回動させることで、外側の抽出穴６ａ、６ｂと内側抽出穴１０ａ、１０ｂとの開口面積状態が制御され、コーヒーの抽出速度が調整されることになる。その他の部分は、前記実施例１と同一のため、同一の符号を付して説明を省略した。
【００２４】
図６において、実施例２の外側の容器２の変形例が示されている。この例では、外側の容器２の縦方向寸法を短くしたものである。これにより、装置の小型化、軽量化が図れるものである。１４は内側の容器８に設けられた摘みである。
【００２５】
コーヒードリッパー１の形状、即ち、外側の容器２の上端開口部２ａと内側の容器８の上端開口部８ａが円形の同心円であることが条件ではあるが、下端側は円錐ばかりでなく、有底の容器であれば良く、外側の容器２と内側の容器８とは相似形となっている。
【実施例３】
【００２６】
図７において、この考案の実施例３が示され、前記図３に示した実施例１の変形例を用いて作り出したもので、抽出前にコーヒードリッパー１を温めることができるようにしたものである。そのため、前記外側の容器２の上端開口部２ａの縁に外方へ膨らませて注入口１６を形成している。この注入口１６より熱湯を注入すれば、前記外側の容器２と内側の容器８間に入り、両者を温めることができる。なお、コーヒーの抽出前には熱湯は排出されることになる。その他の部分は、前記実施例１と同一のため、同一の符号を付して説明を省略した。
【符号の説明】
【００２７】
１    コーヒードリッパー
２    外側の容器
４    座体
５    コーヒーカップ
６，６ａ，６ｂ  外側抽出穴
７    目盛
８    内側の容器
１０，１０ａ，１０ｂ    内側の抽出穴
１２  濾紙
１３  突起
１６  注入口
【図１】
0003166825.tif 000003
【図２】
0003166825.tif 000004
【図３】
0003166825.tif 000005
【図４】
0003166825.tif 000006
【図５】
0003166825.tif 000007
【図６】
0003166825.tif 000008
【図７】
0003166825.tif 000009